(57)【要約】【課題】フットカバー等の製品を提供するのに至便な経編無縫製による製品用生地を提供するとともにこれを用いたフットカバー等の製品を提供すること。【解決手段】経編による表裏編地が両側部で連結編成された筒状編地であって、筒状編地には緻密に編成された平地部２と、粗目に編成されたネット地部１とが一体に編成されてあり、ネット地部１の一部には編目編成のない孔状部または編成後に孔状に分離可能な部分からなる口縁部３が編成されてあることを特徴とする経編無縫製による製品用生地と、この製品用生地を用いたフットカバーであって、平地部にて底部２０と一部の甲被部１０とを形成し、ネット地部にて甲被部１０および周側部１０′を形成し、口縁部３にて挿入口周縁３０を形成する。【選択図】　　　　　　図３
2004124341.tif 000002
【特許請求の範囲】
【請求項１】
経編による表裏編地が両側部で連結編成された筒状編地であって、筒状編地には緻密に編成された平地部と、粗目に編成されたネット地部とが一体に編成されてあり、ネット地部の一部には編目編成のない孔状部または編成後に孔状に分離可能な部分からなる口縁部が編成されてあることを特徴とする経編無縫製による製品用生地。
【請求項２】
請求項１記載の製品用生地が連続編成されてあることを特徴とする経編無縫製による製品用生地。
【請求項３】
平地部およびネット地部が何れも伸縮性を有することを特徴とする請求項１または２記載の経編無縫製による製品用生地。
【請求項４】
請求項１記載の経編無縫製による製品用生地を用いたフットカバーであって、平地部にて底部と一部の甲被部とを形成し、ネット地部にて甲被部および周側部を形成し、口縁部にて挿入口周縁を形成してあることを特徴とするフットカバーとなる製品。
【請求項５】
甲被部側と、周側部後方の踵側とでネット地部の高さに高低ができるよう一部に縫製部を設けて調整してあることを特徴とする請求項４記載のフットカバーとなる製品。
【請求項６】
請求項１記載の経編無縫製による製品用生地を用いたヘアーキャップであって、平地部にてキャップ頂部を形成し、ネット地部にて頂部下方の主体部を形成し、口縁部にて挿入口周縁を形成してあることを特徴とするヘアーキャップとなる製品。
【請求項７】
請求項１記載の経編無縫製による製品用生地を用いた手袋であって、平地部を用いて指部を形成し、ネット地部にて甲部および掌部を形成し、口縁部にて挿入口周縁を形成してあることを特徴とする手袋となる製品。
【発明の詳細な説明】
【０００１】
【発明の属する技術分野】
本発明は、経編無縫製による製品用生地およびこれを用いたフットカバー等の製品に関し、簡易に使用できるフットカバーやヘアーキャップ等の製品を簡単に提供できるようにした発明である。
【０００２】
【従来の技術および発明が解決しようとする課題】
従来より経編による無縫製生地は、表裏生地を連結編成させて筒状生地を提供し、これをショーツ（特許文献１参照）や、シャツ等を提供するのに用いられているが、筒状編地において、緻密に編成された平地部と、粗目に編成されたネット地部とが一体に編成されていて、フットカバー等の製品やヘアーキャップ等の製品を提供するのに適した一体編成品はなかった。
【０００３】
従って、部屋履用靴下や、靴の下に履くインシューズストッキングとしてフットカバー等の製品は編物地や、編物地（レース編地を含む）を所定形状にカットした生地片同士を製品形態に縫製して提供していたが、以下のような問題点があった。
（１）縫製による縫い目の所が全体的に重複している為、足への当触上ごわつき感があり、時には肌に違和感を感じさせるもので、硬く、重たく感じて、軽量感に欠けるものであった。
（２）型紙の準備や裁断、縫製の工程を多く要し、コスト高になっている。
（３）品種によってはコスト、手間を考え足の形態を無視した簡易なものもあったが、フィット性に欠け、コストと素材の選択にも限度があり、伸縮性に欠けていた。
【０００４】
また、入浴時、就寝時にヘアスタイルを崩さぬように被ったり、ヘルメット等の下に被るヘアーキャップ等の製品は、ネット状の編物地の場合には、裁断、縫製して所定形状に形成していたもので、口縁部を除く他部分全てがネット状をなすものゆえ、ヘアーキャップとしての形状対応性には優れる反面、形状安定性に欠ける短所を有していた。
そこで、本発明においては、上記した課題を解決してフットカバー等の製品を提供するのに至便な経編縫製による製品用生地を発明するとともにこれを用いたフットカバー等の製品を提供することを目的としている。
【０００５】
【特許文献１】
特開昭６２−１０４９０１号公報
【０００６】
【課題を解決するための手段および発明の効果】
上記目的を達成できる本発明の経編無縫製による製品用生地としては、請求項１に記載したように、経編による表裏編地が両側部で連結編成された筒状編地であって、筒状編地には緻密に編成された平地部と、粗目に編成されたネット地部とが一体に編成されてあり、ネット地部の一部には編目編成のない孔状部または編成後に孔状に分離可能な部分からなる口縁部が編成されてあることを特徴とするものであり、後述するフットカバーとなる製品や、ヘアーキャップとなる製品等を形成するのに好適となる経編無縫製による製品用生地を提供できることになる。特に、請求項２に記載したように、上記製品用生地が連続編成されてあると、編成後、一単位毎の製品用生地に分離するだけで個々の製品用生地を提供でき効率的となる。また請求項３に記載したように平地部およびネット地部が何れも伸縮性を有することを特徴としていると、製品化した場合、使用前はコンパクトに、使用時には伸縮性を利用して拡開できることになり好都合となる。
【０００７】
上記した構成の請求項１の発明によると、請求項４に記載したフットカバーとなる製品即ち、請求項１記載の経編無縫製による製品用生地を用いたフットカバーの場合、平地部にて底部と一部の甲被部とを形成し、ネット地部にて甲被部および周側部を形成し、口縁部にて挿入口周縁を形成してあることを特徴とする製品を提供できることになる。特に、甲被部側と、周側部後方の踵側とでネット地部の高さに高低ができるよう一部に縫製部を設けて調整してあることを特徴としていると、足の形態に非常に適応し易くなる。そして、以下のような効果を奏することができる。
（１）一体編成のため、柄、組織の変化が多くて、自由に変更が可能であり、デザイン機能性に優れる。
（２）足の形態に合った立体的な一体編成によりフィットし軽量性に優れる。
（３）素材としても異素材の組合わせができて、ネット地の部分は組織による薄いメッシュ部、厚いメッシュ部やレース地部として形成でき、平地部については薄い平地部、厚い平地部を自由に選択でき、多様なデザイン性を以て多種多様な製品を提供することができる。
（４）サイズ設定を行い、リピートによる連続編成を行い、後で必要箇所のみカットし、カット部のみの若干の縫製でよいため、能率的で製造し易くなる。
【０００８】
また、品種によつては殆ど無縫製で使用できるため、大幅なコストダウンを図ることも可能となった。
また、製品例としては、請求項６に記載したヘアーキャップにあっては、請求項１記載の経編無縫製による製品用生地を用いたものであって、平地部にてキャップ頂部を形成し、ネット地部にて頂部下方の主体部を形成し、口縁部にて挿入口周縁を形成してあることを特徴とするものである。このヘアーキャップの場合、充分に頭部へのフィット性を確保できるとともに、前記フットカバーで述べた効果（１）（３）（４）も共通して奏することができる。そして、頂部となる部分を平地部にて形状でき、頂部より下方をネット地部としているので、ネットだけでヘアーキャップを構成する場合に比べ、平地部による頂部にて形態の中心として全体の形状安定性を図ることができると共に、頂部という目標設定ができることにより、被り易くなる利点も大きい。
【０００９】
さらに製品例としては、請求項７に記載した手袋にあっては、請求項１記載の経編無縫製による製品用生地を用いたものであって、平地部を用いて指部を形成し、ネット地部にて甲部および掌部を形成し、口縁部にて挿入口周縁を形成してあることを特徴とするものである。
この手袋の場合、充分に手へのフィット性を確保できるとともに、前記フットカバーで述べた（１）（３）（４）の効果も共通して奏することができる。そして、平地部にて指部を形成しているので、甲部および掌部を形成するネット状の筒状編地部と、編成上の変化をつけて独特なデザインのものが提供できることになる。
【００１０】
【発明の実施の形態】
次いで、本発明の実施態様について図を参照しながら以下に説明する。
図１および図２は、経編無縫製による製品用生地Ａを示しており、ダブルラッシェル機またはジャカード機構を有するダブルラッシェルによる経編機にて一体編成されたものであり、製品用生地Ａが経方向に連結編成された状態を示している。図１では個々の製品用生地Ａが縦向きに、図２では個々の製品用生地Ａが横向きに編成され、個々の製品用生地Ａは分離部Ｓ−Ｓ′にて切り離されるか、その部分の糸を抜くか、溶解糸を溶かす等の手段にて分離される。Ｙは切除される余剰部である。そして、経編による表裏編地が両側部で連結編成された筒状編地を形成している。筒状編地には緻密に編成された非ネット部となる無地状の平地部２と粗目に編成されたメッシュ状のネット地部１とが一体に編成されてあり、ネット地部１の一部には口縁部３が編成されてある。この口縁部３は編目のない孔状部または編成後に孔状に分離可能とした部分からなり、分離可能にするにはその部分の糸を抜けるようにするか、溶解糸を入れて編成後に溶解除去するようにしてある。
【００１１】
そして、口縁部３を含むネット地部１および平地部２の何れもが足形態への対応上、伸縮性を有することが好ましい。
そして、図３の（１）（２）（３）は図１および図２に示した経編無縫製による製品用生地Ａを用いて形成したフットカバーＦであって、部屋履用靴下や、靴の下に履くインシューズストッキングとして用いるものである。その構成としては、図３の（１）に示すように、平地部２にて底部２０と甲被部１０の一部とを形成し、ネット地部１にて甲被部１０および周側部１０′を形成し、ネット地部１に形成されてある口縁部３にて挿入口周縁３０を形成してあるもので、特に、甲被部１０側と、周側部１０′および後方の踵側とでネット状の筒状編地部の高さｈ，ｈ′に高低差ができるよう一部をカット後縫製して縫製部４０を設けて高さを調整してある。なお、挿入口周縁３０は口縁部３のまま形成してもよいが、適宜に装飾用生地を取着することが外観上の美感向上の点からも好ましい。
【００１２】
次に図４は経編無縫製による製品用生地を用いて形成したヘアーキャップＣであって、平地部２にてキャップ頂部５０を形成し、ネット地部１にて頂部下方の主体部６０を形成し、口縁部３にて挿入口周縁７０を形成してある。図中８０は一部をカットした後縫製した形状調整用の縫製部を示している。このヘアーキャップＣではキャップの頂部５０がネットではなく平地部にて形成してあるので、ネットだけのものに比し、頂部５０がキャップ中心となる目標として設定でき、被り易く、形状安定性の点でも優れている。
【００１３】
さらに図５は経編無縫製による製品用生地を用いて一体形成した手袋Ｈであって、両側部で表裏連結編成された平地部２を用いて指部２００を形成し、両側部で表裏連結編成されたネット地部１にて甲部１００および掌部（甲部の反対側であって、図４では隠れて見えない）を形成し、口縁部にて挿入口周縁３００を形成してある。
なお、指部２００の親指部ａと他の指部ｂとを切離形成するために生地の一部をカットした後、縫製されてあり、その一部を縫製端部４００として示してある。従って、指部２００側を平地部にて形成し、甲部１００および掌部をネット状に形成した特異なデザインの手袋を提供できることになる。
【００１４】
なお、実施上、異なる素材の糸を用いたり、編組織に変化を付与することにて以下のような特徴をもたらし得ることになる。
イ、ネット地部や平地部によるそれぞれの厚みを変えてそれぞれ異なる肌触り感と通気性を付与できる。
ロ、基材となる編糸に毛混、ウール糸を巻付け使用し、保温性を持たせることができる。
【００１５】
ハ、基材となる編糸に綿糸、綿混紡糸を使用し、吸汗性を良くすることができる。
ニ、制菌、防菌、抗菌素材による編糸を使用し、またメッシュ効果を組合せて水虫、ムレを防止し、さわやか感に優れたものを提供できる。
ホ、合成繊維使用の場合、速乾性に優れたものを提供できる。
使用適応素材として以下のようなものが用いられる。
【００１６】
▲１▼基材となる編糸に対して、伸縮性を有するポリウレタン糸、もしくはポリウレタンカバード糸を巻付け使用する。
▲２▼項目▲１▼のカバード糸として通常合成繊維、短繊維（綿糸）、梳毛糸（羊毛糸）、機能素材による糸（制菌，防菌，抗菌）などを使用する。
▲３▼また、編糸としては項目ロ，ハ，ニの各種を使用することができる。
▲４▼下記使用素材の太さの適応性としては、
合成繊維（長繊維）　　…　２０デニール〜１４０デニール
短繊維　　　　　　　　…１４０番手〜３０番手
が望ましい。
【００１７】
理由として長繊維の場合、軽量かつ機能性を考えやや細いものが良い。
また、短繊維の場合は、保温効果を考えるとやや太めのものが良いとされる。
製造機種としては、ダブルラッセル機、もしくはジャガード機構を有するダブルラッセル機を用い、ゲージ設定としては素材の太さと機能性により１６ＧＧ〜２４ＧＧが望ましい。
【図面の簡単な説明】
【図１】経編無縫製により製品用生地を縦向きにして経方向に連結編成してある状態の概要を示す正面図である。
【図２】経編無縫製により製品用生地を横向きにして経方向に連結編成してある状態の概要を示す正面図である。
【図３】（１）はフットカバーの概要を示す正面図である。
（２）（３）は斜視図である。
【図４】ヘアーキャップの概要を示す正面図である。
【図５】手袋の概要を示す正面図である。
【符号の説明】
Ａ　　経編無縫製による製品用生地
Ｓ−Ｓ′　分離部
１　　ネット地部
２　　平地部
３　　口縁部
Ｆ　　フットカバー
１０　　甲被部
１０′　　周側部
２０　　底部
３０　　挿入口周縁
Ｃ　　ヘアーキャップ
５０　　キャップ頂部
６０　　ネット状の主体部
７０　　挿入口周縁
Ｈ　　手袋
１００　　甲部
２００　　指部
３００　　挿入口周縁
【図１】
2004124341.tif 000003
【図２】
2004124341.tif 000004
【図３】
2004124341.tif 000005
【図４】
2004124341.tif 000006
【図５】
2004124341.tif 000007
【手続補正書】
【提出日】平成14年10月18日(2002.10.18)
【手続補正１】
【補正対象書類名】明細書
【補正対象項目名】０００４
【補正方法】変更
【補正の内容】
【０００４】
また、入浴時、就寝時にヘアスタイルを崩さぬように被ったり、ヘルメット等の下に被るヘアーキャップ等の製品は、ネット状の編物地の場合には、裁断、縫製して所定形状に形成していたもので、口縁部を除く他部分全てがネット状をなすものゆえ、ヘアーキャップとしての形状対応性には優れる反面、形状安定性に欠ける短所を有していた。
そこで、本発明においては、上記した課題を解決してフットカバー等の製品を提供するのに至便な経編無縫製による製品用生地を発明するとともにこれを用いたフットカバー等の製品を提供することを目的としている。